(57)【特許請求の範囲】
【請求項１】
折り曲げられた一枚の紙シートもしくは重ね合わされた複数枚の紙シートからなり、四辺のうち連続する一組の二辺が閉じられ、他の二辺が開放されて、内部に書類を収容できるようにした書類ホルダーであって、少なくとも一つの外側印刷面を設けるとともに、該外側印刷面を設けられた紙シートを開いた際に現れる紙シートの内面に前記外側印刷面と同じ図柄でかつ該外側印刷面のインキ量の２０〜８０％のインキで薄く印刷した内側印刷面を設けるようにしたことを特徴とする書類ホルダー。
【請求項２】
外側印刷面を２つ設け、それら外側印刷面を設けた紙シートを開いた際に現れる紙シートの内面のそれぞれに前記開いた紙シートの外側印刷面と同じ図柄でかつ該外側印刷面のインキ量の２０〜８０％のインキで薄く印刷した内側印刷面を設けるようにしたことを特徴とする請求項１記載の書類ホルダー。
【請求項３】
前記インキ量は３５〜６５％であることを特徴とする請求項１または２記載の書類ホルダー。
【請求項４】
前記インキ量は５０％であることを特徴とする請求項３記載の書類ホルダー。
【請求項５】
前記紙シートの全ての外面、内面に全面印刷を施すようにしたことを特徴とする請求項１乃至４の何れか１項に記載の書類ホルダー。
【発明の詳細な説明】
【技術分野】
【０００１】
本発明は、紙で構成した書類ホルダーに関する。
【背景技術】
【０００２】
従来、カタログ、パンフレット、チラシ、説明資料、広告資料、文献、写真等の各種資料を収容するために、いわゆるクリアファイル、ＰＰファイルなどと称される合成樹脂製の透明な書類ホルダーが使用されている。
そして、意匠性、機能性の観点から、下記特許文献に示されるように、このような書類ホルダーにワープロやパソコンなどプリンターで任意に図柄やメッセージ等を印刷できるようにしたものも提案されている。
【先行技術文献】
【特許文献】
【０００３】
【特許文献１】実用新案登録第３０４４２０３号公報
【発明の概要】
【発明が解決しようとする課題】
【０００４】
前記従来の大量に使用されている書類ホルダーは、合成樹脂で構成されているため、環境上の問題があり、代替品として、紙で構成された書類ホルダーの提案が求められていた。しかしながら、紙で書類ホルダーを構成した場合、透明感がなく、意匠性に乏しいという不都合も有していた。また、紙で書類ホルダーを構成した場合に、ＰＰフィルム等の保護フィルムで保護しないでも、強度に優れたものに構成することも望まれている。
そこで、本発明は紙で構成してあるにもかかわらず透明感を有し意匠性に優れた書類ホルダーを提供しようとするものである。
【課題を解決するための手段】
【０００５】
本発明者が鋭意検討を重ねた結果、書類ホルダーを紙で構成しても、書類ホルダーの外側に設けた外側印刷面に対して、その外側印刷面を広げた際に現れる書類ホルダーの内面に前記外側印刷面と同じ図柄でかつ該外側印刷面のインキ量の２０〜８０％のインキ量で薄く印刷した内側印刷面を設けることにより、従来のクリアファイルのような透明感を与えることができることを知見した。
本発明の書類ホルダーは前記知見に基づきなされたもので、折り曲げられた一枚の紙シートもしくは重ね合わされた複数枚の紙シートからなり、四辺のうち連続する一組の二辺が閉じられ、他の二辺が開放されて、内部に書類を収容できるようにした書類ホルダーであって、少なくとも一つの外側印刷面を設けるとともに、該外側印刷面を設けられた紙シートを開いた際に現れる紙シートの内面に前記外側印刷面と同じ図柄でかつ該外側印刷面のインキ量の２０〜８０％のインキで薄く印刷した内側印刷面を設けるようにしたことを特徴とする。
請求項２記載の書類ホルダーは、請求項１記載の書類ホルダーにおいて、外側印刷面を２つ設け、それら外側印刷面を設けた紙シートを開いた際に現れる紙シートの内面のそれぞれに前記開いた紙シートの外側印刷面と同じ図柄でかつ該外側印刷面のインキ量の２０〜８０％のインキで薄く印刷した内側印刷面を設けるようにしたことを特徴とする。
請求項３記載の書類ホルダーは、請求項１または２記載の書類ホルダーにおいて、前記インキ量は３５〜６５％であることを特徴とする。
請求項４記載の書類ホルダーは、請求項３載の書類ホルダーにおいて、前記インキ量は５０％であることを特徴とする。
請求項５記載の書類ホルダーは、請求項１乃至４の何れか１項に記載の書類ホルダーにおいて、前記紙シートの全ての外面、内面に全面印刷を施すようにしたことを特徴とする。
【発明の効果】
【０００６】
本発明によれば、折り曲げられた一枚の紙シートもしくは重ね合わされた複数枚の紙シートからなり、四辺のうち連続する一組の二辺が閉じられ、他の二辺が開放されて、内部に書類を収容できるようにした書類ホルダーであって、少なくとも一つの外側印刷面を設けるとともに、該外側印刷面を設けられた紙シートを開いた際に現れる紙シートの内面に前記外側印刷面と同じ図柄で該外側印刷面のインキ量の２０〜８０％のインキで薄く印刷した内側印刷面を設けるようにしたため、紙で構成したにもかかわらず、透明感を有し意匠性に優れた書類ホルダーを提供できる。
外側印刷面を二つ設け、それら外側印刷面を設けた紙シートを開いた際に現れる紙シートの内面のそれぞれに前記開いた紙シートの外側印刷面と同じ図柄でかつ該外側印刷面のインキ量の２０〜８０％のインキで薄く印刷した内側印刷面を設けるようにした場合、更に、透明感に優れたものとなる。
また、前記インキ量を３５〜６５％としたときはより透明感に優れたものとなり、該インキ量を５０％とした場合には最も透明感に優れたものとなる。
更に、前記紙シートの全ての外面、内面に全面印刷を施すようにした場合、紙にもかかわらず強度に優れたものとなる。
【図面の簡単な説明】
【０００７】
【図１】本発明書類ホルダーの一実施の形態を構成する紙シートの正面図
【図２】同紙シートの背面図
【図３】同紙シートで構成した本発明書類ホルダーの一実施の形態の正面図
【図４】同書類ホルダーの背面図
【図５】同書類ホルダーの正面側からみた斜視図
【図６】同書類ホルダーの背面側からみた斜視図
【発明を実施するための形態】
【０００８】
本発明の書類ホルダーは折り曲げられた一枚の紙シートもしくは重ね合わされた複数枚の紙シートからなり、四辺のうち連続する一組の二辺が閉じられ、他の二辺が開放されて、内部に書類を収容できるようにした書類ホルダーであって、少なくとも一つの外側印刷面を設けるとともに、該外側印刷面を設けられた紙シートを開いた際に現れる紙シートの内面に前記外側印刷面と同じ図柄でかつ該外側印刷面のインキ量の２０〜８０％のインキで薄く印刷した内側印刷面を設けるようにしたものであり、前記外側印刷面を設けた紙シートを開いた際に内側印刷面が同時に視覚に捉えられ、看者に透明感を与えることとなる。この場合、外側印刷面を二つ設け、それら外側印刷面を設けた紙シートを開いた際に現れる紙シートの内面のそれぞれに前記開いた紙シートの外側印刷面と同じ図柄でかつ該外側印刷面のインキ量の２０〜８０％のインキで薄く印刷した内側印刷面を設けるようすればより透明感に優れたものとなる。
本発明者の検討によれば前記インキ量は３５〜６５％、特に５０％の場合に優れた透明感が得られる。
【０００９】
前記紙シートは、アート紙、コート紙、上質紙、カード紙等の紙で構成する。
前記書類ホルダーの形状は、特に限定されるものでないが、例えば、クリアファイル、ＰＰファイルなどと称される書類ホルダーの形状に形成すればよい。通常は一枚の矩形の紙シートを中心線に沿って折り曲げ、この有り曲げて形成された一辺と直交する一辺のみを糊付け、あるいは、両面粘着テープなどを用いて接合させて書類を収容できるような形状に形成すればよい。また、前記のように一枚の紙シートを折り曲げて書類ホルダーに形成してもよいが、複数枚の紙シートを用意して、これらを重ね合わせ、必要部分のみを接合させて書類を収容できるような形状に形成してもよい。
また、書類ホルダーの内部に仕切り用の紙シートを介在させて、書類の収容部分を複数個に区画形成してもよい。
【００１０】
書類ホルダーの大きさは、Ａ４版、Ａ５版等の各種書類の規格に合わせた大きさに形成するのが保存上、管理上の観点からも便利であるが、特にその大きさは限定されるものではない。
【００１１】
前記書類ホルダーを構成する紙シートの全ての外面、内面に全面印刷を施すようにすれば印刷面によって書類ホルダーの強度が著しく高められる。
【００１２】
前記インキとしては通常の印刷用の各種インキはもとより、いわゆるトナーインキ等も含まれる。
前記インキ量についてはインキ量自体で調整する場合はもとより、メジウム等で希釈した結果、その使用インキ量を少なくする場合も含まれる。
【００１３】
前記同じ図柄については、完全に同一の図柄に限らず、看者が同じ様な印象を持つ図柄を含むものである。具体的には、面積的な一致点が、７０〜１００％のものが含まれる。
また、図柄は写真、イラストはもとより無地のものも含まれる。
【００１４】
外側印刷面、内側印刷面の印刷は、オフセット印刷、活版印刷、グラビア印刷、シルク印刷、デジタル印刷などその種類は限定されないが、小ロット印刷ができる観点からは、デジタル印刷が適している。
【実施例】
【００１５】
次ぎ、図面に基づき本発明の実施例につき説明する。
図１及び図２は図３乃至図６に示される書類ホルダー１を構成するための紙シート１０を示し、該紙シート１０はカード紙（四六版，１８０ｋｇ）からなり、中心線Ｌに沿って折り曲げ、このように折り曲げて形成された折り曲げ部１１を介して連続する表側紙シート部１２と裏側紙シート部１３とを重ね合わせるとともに、前記裏側紙シート部の前記折り曲げ部１１に直交して連続する一辺に形成した糊代１４を利用して両面粘着テープ１５を用いて、前記表側紙シート部１２と裏側紙シート部１３を接合して、四辺のうち連続する一組の二辺が閉じられ、他の二辺が開放されて、内部に書類を収容できるＡ４サイズの書類ホルダーに形成できるようにしたものである。
尚、表側紙シート部１２の折り曲げ部１１の対向辺、即ち、開放側の一端には書類ホルダーを開きやすくするための切り欠き１６を設け、既存のクリアファイルの形状に似た形状とした。
【００１６】
図１乃至図６に示されるように、前記紙シート１０の表側紙シート部１２の外側印刷面１２ａは濃い水玉模様、裏側紙シート部１３の外側印刷面１３ａは濃いストライプ模様とした。
また、図２に示されるように、前記紙シート１０の表側紙シート部１２の内側印刷面１２ｂは薄いストライプ模様、裏側紙シート部１３の内側印刷面１３ｂは薄い水玉模様とした。
尚、前記内側印刷面１２ｂのストライプ模様は、前記外側印刷面１３ａのストライプと同一の図柄で、インキ濃度を５０％にして薄くした。
また、前記内側印刷面１３ｂの水玉模様は、前記外側印刷面１２ａの水玉模様と同一の図柄で、インキ濃度を５０％にして薄くした。
【００１７】
かくして、図５に示されるように、濃い水玉模様の外側印刷面１２ａを設けた表側紙シート部１２を開くと同一模様で薄い水玉模様の内側印刷面１３ｂが現れ透明感を感じることとなり、また、図６に示されるように、濃いストライプ模様の外側印刷面１３ａを設けた裏側紙シート部１３を開くと、これと同一図柄で薄いストライプ模様の内側印刷面１２ｂが現れ透明感を感じることとなる。
本実施例では、紙シート１の外面、内面に全面印刷を施すようにしたので紙にもかかわらず強度に優れたものとなる。
【産業上の利用可能性】
【００１８】
本発明によれば、紙で構成してあるにもかかわらず透明感を有し意匠性に優れた書類ホルダーを提供できるため産業上有用である。
【符号の説明】
【００１９】
１  書類ホルダー
１０  紙シート
１１  折り曲げ部
１２  表側紙シート部
１２ａ外側印刷面
１２ｂ内側印刷面
１３  裏側紙シート部
１３ａ外側印刷面
１３ｂ内側印刷面
１４  糊代
１５  両面粘着テープ
１６  切り欠き
Ｌ  中心線
【図１】
0005948830.tif 000002
【図２】
0005948830.tif 000003
【図３】
0005948830.tif 000004
【図４】
0005948830.tif 000005
【図５】
0005948830.tif 000006
【図６】
0005948830.tif 000007